(57)【要約】【課題】  長期間に渡って変形や軸体の外れのない状態で脚体を係止保持することができるアイロン台を提供する点にある。【解決手段】  一対の脚部２，３のうちの一方の脚部３の上端に、一方の補強部材６の内側壁６Ａ及び外側壁６Ｂのうちの少なくとも内側壁６Ａに形成された複数の切欠き部６ａ，６ｂに入り込み可能な係止部１３を備えさせ、前記任意の切欠き部に入り込んだ前記係止部１３に下方から接当して係止状態を保持するためのストッパー部材１４を補強部材の内側壁６Ａ及び外側壁６Ｂ間に渡る状態で、かつ、両側壁６Ａ，６Ｂのそれぞれに形成された長孔６Ｃ，６Ｄを介して補強部材６の長手方向にスライド自在に設けた。【選択図】        図３
2006095123.tif 000002
【特許請求の範囲】
【請求項１】
衣類を載置してアイロン掛けを行う台本体と、この台本体の裏面に下端が該台本体の裏面に接近して折り畳まれた折り畳み姿勢と該下端が台本体の裏面から遠ざかった使用姿勢とに姿勢変更可能に設けた折り畳み自在な支持脚とからなるアイロン台において、前記支持脚が一対の脚部からなり、一方の脚部の上端を前記台本体の裏面に取り付けられた下向き開放型のほぼコの字形状の一対の補強部材間に軸体を介して枢支し、他方の脚部の中間部を前記一方の脚部の中間部に枢支連結し、他方の脚部の上端に前記少なくとも一方の補強部材の内側壁及び外側壁のうちの少なくとも内側壁に形成された複数の切欠き部に入り込み可能な係止部を備えさせ、前記任意の切欠き部に入り込んだ前記他方の脚部の係止部に下方から接当して前記係止状態を保持するためのストッパー部材を前記補強部材の内側壁及び外側壁間に渡る状態で、かつ、該両側壁のそれぞれに形成された係止用長孔を介して該補強部材の長手方向にスライド自在に設けたことを特徴とするアイロン台。
【請求項２】
前記複数の切欠き部が、前記補強部材にそれの長手方向に沿って形成された直線状の長孔の両端又は両端付近のそれぞれから前記台本体側に向かって形成された切欠き部を備えたものでなり、これら少なくとも両端又は両端付近の切欠き部を挟んで該補強部材の長手方向両側にそれぞれ位置させて前記係止用長孔を形成してなる請求項１に記載のアイロン台。
【請求項３】
前記ストッパー部材のストッパー部を、前記一方の切欠き部に位置している前記係止部の上方への移動を接当阻止する第１接当部と、前記他方の切欠き部に位置している前記係止部の上方への移動を接当阻止するために該第１接当部と所定間隔を置いて備えさせた第２接当部とから構成し、前記第１接当部が接当阻止解除位置に位置している場合に、前記第２接当部が前記両切欠き部間に位置して一方の切欠き部に位置している前記係止部が他方の切欠き部へ移動することを許容するための空間部を該ストッパー部材に備えさせてなる請求項１又は２に記載のアイロン台。
【請求項４】
前記ストッパー部材が、前記第２接当部を備える中間部と、その中間部の両端にそれぞれ備えさせると共に前記内外側壁に形成された係止用長孔に係止可能な係止部をそれぞれ備え、かつ、内外側壁方向において接近可能に構成された弾性復元力を有する平面視ほぼ二股状に構成された二股状部とから構成し、前記一方の二股状部に前記第１接当部を備えさせてなる請求項３に記載のアイロン台。
【請求項５】
前記一対の補強部材のそれぞれに、前記切欠き部から係止解除状態となった係止部を受け止めて前記台本体の裏面から設定距離以上の離間を接当阻止するための接当部材を設けてなる請求項１に記載のアイロン台。
【発明の詳細な説明】
【技術分野】
【０００１】
本発明は、衣類を載置してアイロン掛けを行う台本体と、この台本体の裏面に折り畳み可能に設けた一対の脚部からなる支持脚とからなるアイロン台に関する。
【背景技術】
【０００２】
上記アイロン台は、運搬し易いように、あるいは非使用時の収納スペースを大きく取ることがないように、支持脚を台本体の裏面に折り畳むことができるようにしている。
そして、従来、折り畳まれた一対の脚部のうちの一方の脚部の上端に備えさせた軸体を台本体の裏面に固定された一対の補強部材の一方の補強部材に形成された切欠き部に係止した状態において、下方から接当して係止状態を保持するための細い線材を補強部材と直交する方向に移動自在に設けて、折り畳まれた脚部が使用姿勢へ姿勢変更することがないように構成したものが提案されている（例えば、特許文献１参照）。
【特許文献１】特開２００１−２７６４９８号公報（図１〜図６参照）
【発明の開示】
【発明が解決しようとする課題】
【０００３】
上記特許文献１のアイロン台では、細い線材で軸体を接当支持している構成であるため、線材に大きな力が作用すると、線材が変形してしまい、ガタツキが発生したり、場合によっては軸体が切欠き部から外れてしまい、係止状態を保持することができなくなることもあった。
【０００４】
本発明が前述の状況に鑑み、解決しようとするところは、長期間に渡って変形や軸体の外れのない状態で脚体を係止保持することができるアイロン台を提供する点にある。
【課題を解決するための手段】
【０００５】
本発明は、前述の課題解決のために、衣類を載置してアイロン掛けを行う台本体と、この台本体の裏面に下端が該台本体の裏面に接近して折り畳まれた折り畳み姿勢と該下端が台本体の裏面から遠ざかった使用姿勢とに姿勢変更可能に設けた折り畳み自在な支持脚とからなるアイロン台において、前記支持脚が一対の脚部からなり、一方の脚部の上端を前記台本体の裏面に取り付けられた下向き開放型のほぼコの字形状の一対の補強部材間に軸体を介して枢支し、他方の脚部の中間部を前記一方の脚部の中間部に枢支連結し、他方の脚部の上端に前記少なくとも一方の補強部材の内側壁及び外側壁のうちの少なくとも内側壁に形成された複数の切欠き部に入り込み可能な係止部を備えさせ、前記任意の切欠き部に入り込んだ前記他方の脚部の係止部に下方から接当して前記係止状態を保持するためのストッパー部材を前記補強部材の内側壁及び外側壁間に渡る状態で、かつ、該両側壁のそれぞれに形成された長孔を介して該補強部材の長手方向にスライド自在に設けて、アイロン台を構成している。
使用姿勢の脚部を折り畳み姿勢へ姿勢変更する場合には、任意の切欠き部（台本体の内部側に位置する切欠き部）に係止されている係止部に接当する位置に位置しているストッパー部材を接当しない位置までスライド移動させてから、脚部を折り畳み姿勢にし、前記切欠き部よりも端部側に位置する切欠き部に係止部を係止させた状態において、前記ストッパー部材を係止部に接当する位置まで移動させることにより、係止部材を切欠き部に係止保持させることができる。折り畳み姿勢の脚部を使用姿勢へ姿勢変更する場合には、前記と同様にすることになる。尚、切欠き部が３個以上形成している場合には、アイロン台の高さ調節を行う場合であるが、切欠き部を２個設けて実施することもできる。
【０００６】
前記複数の切欠き部が、前記補強部材にそれの長手方向に沿って形成された直線状の長孔の両端又は両端付近のそれぞれから前記台本体側に向かって形成された切欠き部を備えたものでなり、これら少なくとも両端又は両端付近の切欠き部を挟んで該補強部材の長手方向両側にそれぞれ位置させて前記係止用長孔を形成してもよい。ここで両端付近とは、長孔の両端位置よりも手前側の位置のことを指す。
【０００７】
前記ストッパー部材のストッパー部を、前記一方の切欠き部に位置している前記係止部の上方への移動を接当阻止する第１接当部と、前記他方の切欠き部に位置している前記係止部の上方への移動を接当阻止するために該第１接当部と所定間隔を置いて備えさせた第２接当部とから構成し、前記第１接当部が接当阻止解除位置に位置している場合に、前記第２接当部が前記両切欠き部間に位置して一方の切欠き部に位置している前記係止部が他方の切欠き部へ移動することを許容するための空間部を該ストッパー部材に備えさせてもよい。
【０００８】
前記ストッパー部材が、前記第２接当部を備える中間部と、その中間部の両端にそれぞれ備えさせると共に前記内外側壁に形成された係止用長孔に係止可能な係止部をそれぞれ備え、かつ、内外側壁方向において接近可能に構成された弾性復元力を有する平面視ほぼ二股状に構成された二股状部とから構成し、前記一方の二股状部に前記第１接当部を備えさせてもよい。
【０００９】
前記一対の補強部材のそれぞれに、前記切欠き部から係止解除状態となった係止部を受け止めて前記台本体の裏面から設定距離以上の離間を接当阻止するための接当部材を設けてもよい。
【発明の効果】
【００１０】
補強部材の内側壁及び外側壁間に渡るストッパー部材にて任意の切欠き部に係止した係止部が係止解除側へ移動することを確実に接当阻止することができ、例え係止部に大きな力が作用したとしても、ストッパー部材が変形するようなことがなく、長期間に渡ってガタツキや変形による係止部の外れなどが発生することがなく脚部を良好に係止保持することができるアイロン台を提供することができる。
【００１１】
複数の切欠き部が、補強部材にそれの長手方向に沿って形成された直線状の長孔の両端又は両端付近のそれぞれから台本体側に向かって形成されたものでなり、これら少なくとも両端又は両端付近の切欠き部を挟んで補強部材の長手方向両側にそれぞれ位置させて係止用長孔を形成することによって、ストッパー部材を長孔よりも長い寸法のものに構成してストッパー部材自体の強度を更に高めることができ、長期間に渡ってストッパー部材の変形などのない状態でより一層良好に使用することができるアイロン台にすることができる。
【００１２】
ストッパー部材のストッパー部を、一方の切欠き部に位置している係止部の上方への移動を接当阻止する第１接当部と、他方の切欠き部に位置している係止部の上方への移動を接当阻止するために第１接当部と所定間隔を置いて備えさせた第２接当部とから構成し、第１接当部が接当阻止解除位置に位置している場合に、第２接当部が前記両切欠き部間に位置して一方の切欠き部に位置している係止部が他方の切欠き部へ移動することを許容するための空間部をストッパー部材に備えさせることによって、２つの切欠き部にそれぞれ位置させたストッパー部材を係止解除方向に操作する方向を同一方向にすることができ、操作のし易いものにすることができる。
【００１３】
ストッパー部材が、第２接当部を備える中間部と、その中間部の両端にそれぞれ備えさせると共に内外側壁に形成された係止用長孔に係止可能な係止部をそれぞれ備え、かつ、内外側壁方向において接近可能に構成された弾性復元力を有する平面視ほぼ二股状に構成された二股状部とから構成することによって、ストッパー部材を補強部材の内外側壁の係止用長孔に係止させて装着する場合に、中間部の両端に備えた二股状部を接近側に操作するだけで、内外側壁間に係止部を含むストッパー部材を入り込ませることができ、この後、二股状部が弾性復元力にて離間側へ戻って係止部が係止用長孔に係止して、ストッパー部材の補強部材への装着を完了することができ、組み付け作業を迅速に行える利点がある。
又、一方の二股状部に第１接当部を備えさせることによって、部品点数の削減化を図ることができ、製造コストの低減を図ることができる。
【００１４】
一対の補強部材のそれぞれに、切欠き部から係止解除状態となった係止部を受け止めて台本体の裏面から設定距離以上の離間を接当阻止するための接当部材を設けることによって、脚部が台本体の裏面から大きく離れた状態になることがなく、その分脚部の姿勢変更操作を迅速に行うことができ、一層便利に使用することができる。
【発明を実施するための最良の形態】
【００１５】
図１及び図２にアイロン台が示されている。このアイロン台は、一端が円弧形状に形成された平面視ほぼ長方形状の台本体１と、この台本体１の裏面（下面）に折り畳み自在に取付けられた前後一対の金属製（合成樹脂製又は木製などであってもよい）の脚部２，３とから構成されている。前記台本体１をほぼ長方形状に構成する他、円形、楕円形、菱形、正方形、台形、船型に形成してもよく、台本体１の形状は、これらのものに限定されるものではない。以下、前記台本体１の長手方向を前後方向とし、長手方向と直交する方向を左右方向として説明する。
【００１６】
前記台本体１は、図１に示すように、金属製のメッシュ状に形成された本体部４と、この本体部４の外周縁を構成する金属製の棒状の枠部材５と、前記本体部４上に載置される綿等からなるクッション材（図示せず）と、このクッション材を本体部４の上面に押し付けるために上方から覆い被せる布製のカバー（図示せず）とを備え、前記本体部４の内面（裏面）に前後方向に延びる左右一対の金属製の補強部材としての補強用フレーム６，６が溶接されている。前記各補強用フレーム６は、下方が開放されたコの字形状に形成されている。前記台本体１にメッシュ状に形成された本体部４を備えさせることにより、衣類に吹き付けられる蒸気を下方に抜け易くすることができるが、蒸気を下方に抜くことができない平板状のものから構成してもよく、台本体１の具体構成はこれらのものに限定されるものではない。前記補強用フレーム６，６の一端側の内側壁６Ａ，６Ａ間に両端が貫通して溶接固定されると共に中間部が台本体１から横側方へ突出し、かつ、前記枠部材５に溶接固定されたほぼＵ字状の枠体７の内側に、図示していない仕上げ馬のパイプ部を内嵌可能な筒状体８を溶接固定しているが、無くてもよい。又、前記枠体７の下面に、平面視においてほぼコの字状のアイロン置き台９をスライド自在に支持するための支持部材１０を溶接固定しているが、無くてもよい。尚、前記アイロン置き台９を台本体１側に引退させた非使用位置において折り畳み状態の前記一方の脚部３の接地部３Ｂに下方から接当して該脚部３の使用姿勢への姿勢変更を補助的に接当阻止することができる構成となっているが、脚部３と台本体１との間にアイロン置き台９が入り込む構成にしてもよい。
【００１７】
図１〜図３に示すように、前記脚部２，３のほぼ中間部同士をピン１１を介して枢支連結し、一方の脚部２の上端に溶接した支軸１２の両端を、支軸１２の軸芯周りで回転自在に前記補強用フレーム６，６の後側部それぞれの左右一対の外側壁６Ｂ，６Ｂに貫通支持させ、他方の脚部３の上端に溶接した係止部としての支軸１３（前記支軸１２よりも短い寸法を有する）を該台本体１の他側、つまり補強用フレーム６，６の前側部それぞれの内側壁６Ａ，６Ａに形成した複数（ここでは２個）の切欠き部６ａ，６ｂ（第１切欠き部と第２切欠き部）に選択的に係脱自在に構成し、前記任意の切欠き部６ａ又は６ｂに前記他方の脚部３の支軸１３を係止した状態においてその係止状態を保持するために該支軸１３に下方から接当するストッパー部材１４を前記一方の補強用フレーム６の両側壁６Ａ，６Ｂ間に渡る状態で、かつ、該両側壁６Ａ，６Ｂの前記切欠き部６ａ，６ｂを挟んで両側に位置する箇所に形成された前後一対ずつの長孔６Ｃ，６Ｄを介してスライド自在に設けて、該係止状態を保持することができるようにしている。前記ストッパー部材１４のストッパー部を、前記一方の切欠き部６ａに位置している前記係止部１３の上方への移動を接当阻止する第１接当部１４Ｓと、前記他方の切欠き部６ｂに位置している前記係止部１３の上方への移動を接当阻止するために該第１接当部１４Ｓと所定間隔を置いて備えさせた第２接当部１４Ｗとから構成し、前記第１接当部１４Ｓが接当阻止解除位置に位置している場合に、前記第２接当部１４Ｗが前記両切欠き部６ａ，６ｂ間に位置して一方の切欠き部６ａ又は６ｂに位置している前記係止部１３が他方の切欠き部６ｂ又は６ａへ移動することを許容するための側面視ほぼ門型の空間部（通路）１４Ｋを該ストッパー部材１４に備えさせている。前記ストッパー部材１４には、平面視ほぼ長方形で板状の前記第２接当部１４Ｗを備え、かつ、上端に上方に突出すると共に左右幅方向に長い摘み部１４Ｔ（場合によっては無くてもよい）を備えた中間部１４Ａと、この中間部１４Ａの長手方向両端にそれぞれ備えさせると共に内外側壁６Ａ，６Ｂに形成された一直線状の前記係止用長孔６Ｃ，６Ｄに係止可能な係止部１４ｂ，１４ｃをそれぞれ備え、かつ、内外側壁方向（左右幅方向）において接近可能に構成された弾性復元力を有する平面視ほぼ二股状に構成された二股状部１４Ｂ，１４Ｃ（左右幅方向ほぼ中央部に前後方向に切り欠いた切欠き部を備えたＵ字状に構成されたほぼＵ字状部とも言う）とから構成され、前記一方の二股状部１４Ｂの下端に第１接当部１４Ｓを備えている。ここでは、ストッパー部材１４を合成樹脂にて一体成形して、製造コストにおいて有利なものを示しているが、２つ以上の部材を結合させたものを用いてもよい。又、前記切欠き部６ａ，６ｂは、前記補強部材６，６にそれの長手方向に沿って形成された直線状の長孔６ｃ，６ｃの両端にそれから前記台本体側に向かって斜めとなるように形成されたもの（長孔６ｃに対して垂直となる方向に形成してもよい）でなり、前記ストッパー部材１４の第１接当部１４Ｓが前記両端の切欠き部６ａ，６ｂ間に位置するストッパー解除位置（図４（ｂ）参照）に位置している場合に、一方の切欠き部６ａに位置している前記係止部１３が他方の切欠き部６ｂへ移動することを許容するための空間部１４Ｋを該ストッパー部材１４に備えさせている。ここでは、前記直線状の長孔６ｃの両端に切欠き部６ａ，６ｂを形成したが、長孔６ｃの両端よりも長孔６ｃの長手方向中央部側に寄った手前側（両端付近）から台本体側に向かって形成してもよい。又、２つの切欠き部６ａ，６ｂ間に他の切欠き部を一つ以上形成して実施することもできる。又、前記直線状の長孔６ｃの延長線上にストッパー１４の係止部１４ｂ，１４ｃが係止する長孔６Ｃ，６Ｄを形成することによって、補強部材６，６が上下方向に大きくなることを阻止することができる利点があるが、例えば長孔６ｃの下方（図４では上方となる）に長孔６Ｃ，６Ｄ（この場合、１つの連続する長孔に形成してもよい）を形成して実施することも可能である。
【００１８】
従って、前側の切欠き部６ａに他方の脚部３の支軸１３を係止することによって、脚部３をそれの下端が台本体１の裏面に接近して折り畳まれた折り畳み姿勢にすることができ、この姿勢において摘み部１４Ｔを持ってストッパー部材１４をそれの係止部１４ｂ，１４ｃが長孔６Ｃ，６Ｄの後端との接当により阻止されるまで後方側へスライドさせて第１接当部１４Ｓを切欠き部６ａに係止している支軸１３の直上方に位置させることによって、その姿勢を保持することができ（図４（ａ）参照）、又、前記摘み部１４Ｔを持ってストッパー部材１４を長孔６Ｃ，６Ｄの長手方向（前後方向）前方側へスライド移動させることにより、図４（ｂ）に示すように、第１接当部１４Ｓを前方側へ移動させて前記係止状態を解除することができ、この状態から支軸１３を後側の切欠き部６ｂに前記空間１４Ｋを通して移動させて係止することによって、脚部３をそれの下端が台本体１の裏面から遠ざかった使用姿勢に姿勢変更することができ、ストッパー部材１４を長孔６Ｃ，６Ｄの後方位置までスライドさせることによって、図４（ｃ）に示すように、第２接当部１４Ｗが支軸１３の直上方に位置することで脚部３の姿勢を使用姿勢に保持することができるようにしている。このように図４（ｂ）に示す２つの接当部１４Ｓ，１４Ｗが接当阻止解除位置に位置している状態から、ストッパー部材１４を後方側（図では左側）へ移動させることによって、図４（ａ）又は（ｃ）に示すように、切欠き部６ａ又は６ｂに位置している支軸１３の直上方に位置させてストッパー部材１４を接当阻止位置に位置させることができ、この状態から、ストッパー部材１４を前方側（図では右側）へ移動させることによって、図４（ｂ）に示すように、前記接当阻止解除位置に位置させることができ、支軸１３がどちらの切欠き部６ａ又は６ｂに係止されている場合でも、ストッパー部材１４の操作方向を同一方向に操作することによって、接当阻止位置及び接当阻止解除位置に位置させることができるようになっている。前記内側壁６Ａ，６Ａは、前記台本体１の中心側に近い側の縦壁を指し、前記外側壁６Ｂ，６Ｂは、前記枠部材５が位置する外縁に近い側を指すものとする。ここでは、ストッパー部材１４を一方の補強部材６にのみ備えさせた場合を示しているが、両補強部材６，６に備えさせたものであってもよい。この場合には、一方のストッパー部材１４を操作することによって、他方のストッパー部材１４をも同一方向へ操作することができるように両ストッパー部材１４，１４を連動連結しておいてもよい。
【００１９】
前記脚部２，３が折り畳み姿勢で固定されているアイロン台の収納状態から使用状態にするためには、まず、図４（ａ）に示す位置にあるストッパー部材１４の摘み部１４Ｔをつまんでアイロン台の前方側への移動が阻止されるまでスライドさせる（図４（ｂ）参照）この状態から、前側の切欠き部６ａに係止している支軸１３を前記空間１４Ｋを通して後側の切欠き部６ｂまで移動させて係止させる。この状態において、ストッパー部材１４の摘み部１４Ｔをつまんでアイロン台の後方側へ移動が阻止されるまでスライドさせることによって、図４（ｃ）に示すように、支軸１３の移動を接当阻止する状態として、脚部３が固定されて使用状態に固定された状態になる。次に、使用状態から収納状態にするためには、図４（ｃ）に示す位置にあるストッパー部材１４の摘み部１４Ｔをつまんでアイロン台の前方側への移動が阻止されるまでスライドさせる（図４（ｂ）参照）。この後、後側の切欠き部６ｂに係止している支軸１３を前記空間１４Ｋを通して前側の切欠き部６ａまで移動させて係止させる。この状態において、ストッパー部材１４の摘み部１４Ｔをつまんでアイロン台の後方側への移動が阻止されるまでスライドさせることによって、図４（ａ）に示すように、支軸１３の移動を接当阻止する状態として、脚部３が固定されて収納状態に固定された状態になる。
【００２０】
前記脚部２，３は、図１〜図３に示すように、上端に前記支軸１２，１３を備えた角筒状（円筒状や多角形状等でもよい）の脚本体２Ａ，３Ａと、この脚本体２Ａ，３Ａの下端に中間部が溶接された円筒状（角筒状や多角形状等でもよい）の接地部２Ｂ，３Ｂと、この接地部２Ｂ，３Ｂの両端の開口部をそれぞれ閉じるゴム又は合成樹脂等でなるキャップ２Ｃ，３Ｃとから構成しているが、図に示される構成に限定されるものではない。
図１に示すように、前記脚部２，３を、それらの接地部２Ｂ，３Ｂが前記折り畳み姿勢において前記枠部材５の外縁よりも内側に位置する寸法に設定することによって、アイロン台の小型化を図ることができるようにしているが、前記枠部材５の外縁から外側に位置する寸法に設定してもよい。
【００２１】
前記ストッパー部材１４を、図５〜図７に示すように構成してもよい。つまり、前記一方の補強用フレーム６の切欠き部６ａに係止している前記支軸１３の下面（図では上面）に接当して該支軸１３の係止解除側への移動を接当阻止するための左右幅が前記両側壁６Ａ，６Ｂ間に渡る長さを有するほぼ長方形状で板状の合成樹脂製（金属製や木製などであってもよい）のストッパー本体１４Ａと、このストッパー本体１４Ａの長手方向と直交する左右方向両側下面に一体形成されると共に左右横側に突出して前記側壁６Ａ，６Ｂの２つの切欠き部６ａ，６ｂ間に形成の一直線状の長孔６Ｃ，６Ｄに係合する左右一対の係止部１４Ｂ，１４Ｂ（図では一方のみ図示している）と、前記ストッパー本体１４Ａの上面（アイロン台からみれば下面）に、それの前後方向中央部でかつ左右方向外側端部に一体形成された摘み部１４Ｃ（場合によっては無くてもよい）とからストッパー部材１４を構成しているが、ストッパー部材１４としての形状及び具体的構成は、図に示されるものに限定されるものではない。
【００２２】
従って、図７（ａ）に示すように、前側の切欠き部６ａに他方の脚部３の支軸１３を係止することによって、脚部２，３をそれの下端が台本体１の裏面に接近して折り畳まれた折り畳み姿勢にすることができ、この姿勢において摘み部１４Ｃを持ってストッパー部材１４をスライドさせることによって、その姿勢を維持させることができ、又、前記摘み部１４Ｃを持ってストッパー部材１４を長孔６Ｃ，６Ｄの長手方向（前後方向）ほぼ中央部へスライドさせることにより、図７（ｂ）に示すように、前記係止状態を解除することができ、この状態から後側の切欠き部６ｂに前記支軸１３を係止することによって、脚部２，３をそれの下端が台本体１の裏面から遠ざかった使用姿勢に姿勢変更することができ、ストッパー部材１４を長孔６Ｃ，６Ｄの後方位置までスライドさせることによって、図７（ｃ）に示すように、その姿勢を保持することができるようにしている。
【００２３】
図７（ａ），（ｂ），（ｃ）に示すように、前記ストッパー本体１４Ａの上面（台本体１側表面）のうちの前後２箇所に、上方（台本体３側）に突出すると共に左右幅方向に連続する突出部１４Ｈを形成してあり、支軸１３に係止した状態から係止解除する方向に移動し難いようにしているが、無くてもよい。ここでは、一方の補強用フレーム６にのみストッパー部材１４を備えさせたものを示したが、両方の補強用フレーム６，６のそれぞれにストッパー部材１４を備えさせてもよい。このように両方の補強用フレーム６，６にストッパー部材１４，１４をそれぞれ備えさせる場合には、それらストッパー部材１４，１４を連結部材を介して連結しておけば、いずれか一方のストッパー部材１４をスライドさせるだけで、２つのストッパー部材１４，１４を同時にスライドさせることができる利点がある。
【００２４】
前記脚部２，３が折り畳み姿勢で固定されているアイロン台の収納状態から使用状態にするためには、まず、図７（ａ）に示す位置にあるストッパー部材１４の摘み部１４Ｃをつまんでアイロン台の内方側の中立位置までスライドさせる。図５〜図７で示したものは、中立位置を含む３つの位置に位置させることから、図１〜図４のように２つの位置のみの場合に比べて、操作性において不利になるが、ストッパー部材１４自体を簡素な構成にすることができる利点がある。前記中立位置とは、長孔６Ｃ，６Ｄの長手方向ほぼ中央位置に相当し、ストッパー部材１４の長手方向両端が切欠き部６ａ，６ｂに係止している支軸１３上に位置しない状態を言う。この状態で切欠き部６ａに係止している支軸１３を上方へ移動した後、後方側へ移動させてから後方の切欠き部６ｂに係止させる（図７（ｂ）参照）。この後、中立位置にあるストッパー部材１４を摘み部１４Ｃをつまんで後方側へ移動させることにより、支軸１３上にストッパー部材１４を位置させて、前記係止状態を維持することができる（図７（ｃ）参照）。
【００２５】
前記長孔６Ｃ，６Ｄを、図８に示すように補強部材６を側面から見た状態において台本体１側へ（これとは反対側でもよい）へ緩やかに湾曲した円弧形状に構成することによって、支軸１３を係止保持する位置、長孔６Ｃ，６Ｄの両端に位置させたときにストッパー部材１４が不測に移動することがないようにしてもよいが、一直線状に形成してもよい。
【００２６】
図６〜図８に示す１５は、前記切欠き部６ａ，６ｂから係止解除になった支軸１３が台本体１の裏面から設定距離以上の離間を接当阻止するための側面視においてほぼ門形に構成された金属製で棒状の接当部材であり、補強用フレーム６，６の内側壁６Ａ，６Ａの切欠き部６ａ，６ｂの前後箇所それぞれに、接当部材１５の両端を貫通して溶接固定しているが、場合によっては省略してもよい。
【００２７】
前記ストッパー部材１４を、図９、図１０（ａ），（ｂ）及び図１１（ａ），（ｃ）に示すように構成してもよい。つまり、前記第１接当部１４Ｓを、ストッパー部材１４の長手方向一端に備えさせ、前記第２接当部１４Ｘ（図３では長手方向中間部に備えさせている）を、ストッパー部材１４の長手方向他端に備えさせている。
従って、前記脚部２，３が折り畳み姿勢で固定されているアイロン台の収納状態から使用状態にするためには、まず、図１０（ａ）に示す位置にあるストッパー部材１４の摘み部１４Ｔをつまんでアイロン台の前方側への移動が阻止されるまでスライドさせる（図１０（ｂ）参照）この状態から、前側の切欠き部６ａに係止している支軸１３を前記空間１４Ｋを通して後側の切欠き部６ｂまで移動させて係止させる。このとき、図１０（ｂ）に示すように、ストッパー部材１４の第２接当部１４Ｘを形成する後側部分に接当した時点から、更に支軸１３を移動させることにより図１１（ａ）に示すように、ストッパー部材１４を後側へ移動させることで、後側の切欠き部６ｂに支軸１３を係止させることができ、この状態において、ストッパー部材１４の摘み部１４Ｔをつまんでアイロン台の前方側への移動が阻止されるまでスライドさせることによって、図１１（ｂ）に示すように、支軸１３の移動を接当阻止する状態として、脚部３が固定されて使用状態に固定された状態になる。次に、使用状態から収納状態にするためには、図１１（ｂ）に示す位置にあるストッパー部材１４の摘み部１４Ｔをつまんでアイロン台の後方側への移動が阻止されるまでスライドさせる（図１１（ａ）参照）。この後、後側の切欠き部６ｂに係止している支軸１３を前記空間１４Ｋを通して前側の切欠き部６ａまで移動させて係止させる。このとき、ストッパー部材１４の第１接当部１４Ｓを形成する前側部分に接当した時点から、更に支軸１３を移動させることにより図１０（ｂ）に示すように、ストッパー部材１４を前側へ移動させることで、前側の切欠き部６ａに支軸１３を係止させることができ、この状態において、ストッパー部材１４の摘み部１４Ｔをつまんでアイロン台の後方側への移動が阻止されるまでスライドさせることによって、図１０（ａ）に示すように、支軸１３の移動を接当阻止する状態として、脚部３が固定されて収納状態に固定された状態になる。尚、図１０（ａ）に示す接当阻止位置からストッパー部材１４を接当解除位置に移動させる方向（図では右側方向）と、図１１（ｂ）に示す接当阻止位置からストッパー部材１４を接当解除位置に移動させる方向（図では左側方向）とが異なる方向になっている。図９〜図１１に示す１４Ｅは、ストッパー部材１４の左右幅方向一端に形成した板状の壁部であり、ストッパー部材１４の保形強度を高めることができる利点があるが、省略して実施することもできる。
【産業上の利用可能性】
【００２８】
本発明のアイロン台は、衣類をアイロン掛けするために使用できる他、ハンカチやシーツあるいはタオルなどをアイロン掛けするものにおいても使用することができる。又、切欠き部を２つ（第１切欠き部６ａと第２切欠き部６ｂの２つ）設けて脚部２，３を折り畳んだ状態と台本体を支持する使用状態の２状態にのみ切り替えることができるようにしたが、切欠き部を３つ以上設けて、脚部２，３の傾きを変更することにより台本体を高さ調節できるように構成してもよい。
【図面の簡単な説明】
【００２９】
【図１】脚部を折り畳んだアイロン台の底面図である。
【図２】使用姿勢のアイロン台の側面図である。
【図３】ストッパー部材を分解した取り付け部を示す斜視図である。
【図４】ストッパー部材の切り替え状態を示す要部の側面図であり、（ａ）は脚部を収納姿勢で固定するためにストッパー部材を後側に位置させた状態を示し、（ｂ）は支軸の固定状態を解除するためにストッパー部材を前側に位置させた状態を示し、（ｃ）は脚部を使用姿勢で固定するためにストッパー部材を後側に位置させた状態を示している。
【図５】別の形状のストッパー部材を分解した取り付け部を示す斜視図である。
【図６】（ａ），（ｂ）はストッパー部材を２位置に切り替えた状態を示す要部の斜視図である。
【図７】ストッパー部材の切り替え状態を示す要部の側面図であり、（ａ）はストッパー部材を前側に位置させた状態を示し、（ｂ）はストッパー部材を中央位置に位置させた状態を示し、（ｃ）はストッパー部材を後側に位置させた状態を示している。
【図８】図５のストッパー部材を側面から見たときの長孔の形状を示す拡大図である。
【図９】別のストッパー部材の斜視図である。
【図１０】ストッパー部材の切り替え状態を示す要部の側面図であり、（ａ）は脚部を収納姿勢で固定するためにストッパー部材を後側に位置させた状態を示し、（ｂ）は支軸の固定状態を解除するためにストッパー部材を前側に位置させた状態を示している。
【図１１】ストッパー部材の切り替え状態を示す要部の側面図であり、（ａ）は支軸の固定状態を解除するためにストッパー部材を後側に位置させた状態を示し、（ｂ）は脚部を使用姿勢で固定するためにストッパー部材を前側に位置させた状態を示している。
【符号の説明】
【００３０】
１  台本体
２，３  脚部
２Ａ，３Ａ  脚本体
２Ｂ，３Ｂ  接地部
２Ｃ，３Ｃ  キャップ
４  本体部
５  枠部材
６  補強用フレーム（補強部材）
６ａ，６ｂ  切欠き部
６Ａ，６Ａ  内側壁
６Ｂ，６Ｂ  外側壁
６Ｃ，６Ｄ  長孔
６ｃ   長孔
７  枠体
８  筒状体
９  アイロン置き台
１０  支持部材
１１  ピン
１２  支軸
１３  支軸（係止部）
１４  ストッパー部材
１４Ａ  ストッパー本体
１４Ｂ，１４Ｂ  係止部
１４Ｔ  突出部
１４Ｃ  摘み部
１５  接当部材
１４Ｓ 第１接当部
１４Ｋ 空間部
１４Ｗ，１４Ｘ  第２接当部
１４Ｅ  壁部
１４Ａ 中間部
１４Ｈ 突出部
１４Ｂ，１４Ｃ  二股状部
１４Ｔ 摘み部
１４ｂ，１４ｃ       係止部
【図１】
2006095123.tif 000003
【図２】
2006095123.tif 000004
【図３】
2006095123.tif 000005
【図４】
2006095123.tif 000006
【図５】
2006095123.tif 000007
【図６】
2006095123.tif 000008
【図７】
2006095123.tif 000009
【図８】
2006095123.tif 000010
【図９】
2006095123.tif 000011
【図１０】
2006095123.tif 000012
【図１１】
2006095123.tif 000013